(57)【要約】【課題】有害物質６の処理を行うアイソレータ２内に物品７を搬入する際に、アイソレータ２内の環境によって外部が汚染されないようにする。【解決手段】アイソレータ２の壁面２ａに、物品７を内部に挿入可能な開口部２ｇが形成されており、この開口部２ｇの周囲に袋体１２を固定してこの開口部２ｇを密閉する。この袋体１２の外表面を内側にして物品７を包み込み、物品７を密封した状態でシール手段２２によって袋体１２の素材同士を固着する。物品７を包み込んで密封された袋状の部分１２ｃをアイソレータ２内に挿入し、アイソレータ２の内部で開封して物品７をアイソレータ２内に取り出す。【選択図】図３
2007196306.tif 000002
【特許請求の範囲】
【請求項１】
密閉された空間内で有害物質を取り扱うアイソレータに、密閉状態を維持したまま物品の搬入を行うアイソレータへの物品搬入方法において、
アイソレータの壁面に形成され、内部へ物品を搬入可能な開口部と、搬入する物品を包み込む袋体と、袋体を構成する素材同士を固着させるシール手段と、前記袋体の口部を、アイソレータの外側から、前記開口部の周囲に固定して開口部を密閉する固定手段とを備え、
前記袋体の外表面を内側にして搬入する物品を包み込み、この状態で前記シール手段によって袋体を固着して物品を密封した後、アイソレータの内部で、袋体の前記物品を包み込んだ部分を開封して、物品をアイソレータ内に取り出すことを特徴とするアイソレータへの物品搬入方法。
【請求項２】
アイソレータの外部にシール手段を設け、外部で袋体をシール手段によって固着した後、前記物品を包み込んだ部分をアイソレータ内に引き込んで開封することを特徴とする請求項１に記載のアイソレータへの物品搬入方法。
【請求項３】
前記アイソレータの開口部を閉鎖する閉鎖部材を設けたことを特徴とする請求項１または請求項２に記載のアイソレータへの物品搬入方法。
【発明の詳細な説明】
【技術分野】
【０００１】
本発明はアイソレータへの物品搬入方法に係り、特に、放射性物質や劇毒物、有害化学薬品等人体に悪影響を及ぼすおそれのある有害物質を取り扱うアイソレータ内に、外部への汚染無しに物品を搬入するアイソレータへの物品搬入方法に関するものである。
【背景技術】
【０００２】
特許文献１には、核燃料等の放射性物質を安全に取り扱うために、密封容器内に収納した放射性物質を、外部環境から隔離された閉空間（セル）に密閉された環境下で受け渡す構成が開示されている。この構成は、いわゆるダブルカバー方式と呼ばれるもので、セルに、その内側に向けて開く蓋体を設けるとともに、密封容器に外方に開く蓋体を設けている。これら蓋体は、それぞれセルおよび密封容器に設けたフランジの開口部を閉塞するようになっている。
【０００３】
そして、開口部を蓋体によって閉塞された密封容器のフランジを、同じく開口部を蓋体によって閉塞された状態のセルのフランジに密接させ、密封容器を軸線回りに回転させると、両蓋体の合わせ面に設けた連結構造により、両蓋体が連結される。この状態でフランジ同士を連結固定して、セル内から連結された状態の蓋体を取り外すことにより、セル内の空間と密封容器内の空間とが連通される。この状態で、セルと密封容器内との間で放射性物質の受け渡しを行う。
【特許文献１】特許第３１００５０８号公報（第２頁、図５）
【発明の開示】
【発明が解決しようとする課題】
【０００４】
前記特許文献１に記載された発明の構成では、シール構造が複雑であり、しかも高価である。また、長期間の使用によりシールが劣化してリークの危険性が生ずるおそれがある等の問題があった。
【課題を解決するための手段】
【０００５】
本発明は、密閉された空間内で有害物質を取り扱うアイソレータに、密閉状態を維持したまま物品の搬入を行うアイソレータへの物品搬入方法において、アイソレータの壁面に形成され、内部へ物品を搬入可能な開口部と、搬入する物品を包み込む袋体と、袋体を構成する素材同士を固着させるシール手段と、前記袋体の口部を、アイソレータの外側から、前記開口部の周囲に固定して開口部を密閉する固定手段とを備え、前記袋体の外表面を内側にして搬入する物品を包み込み、この状態で前記シール手段によって袋体を固着して物品を密封した後、アイソレータの内部で、袋体の前記物品を包み込んだ部分を開封して、物品をアイソレータ内に取り出すことを特徴とするものである。
【０００６】
また、請求項２に記載した発明は、アイソレータの外部にシール手段を設け、外部で袋体をシール手段によって固着した後、前記物品を包み込んだ部分をアイソレータ内に引き込んで開封することを特徴とするものである。
【０００７】
また、請求項３に記載した発明は、前記アイソレータの開口部を閉鎖する閉鎖部材を設けたことを特徴とするものである。
【発明の効果】
【０００８】
本発明のアイソレータへの物品搬入方法は、アイソレータの開口部に固定した袋体の外表面を内側にして物品を包み込んでこの部分を密封した後、アイソレータ内に搬入して開封することによって、物品をアイソレータ内に取り出すようにしたので、構造が簡単で、低コストであり、しかも、長期間の使用によってもシールの劣化によるリークの危険性が発生することもない。
【発明を実施するための最良の形態】
【０００９】
アイソレータの壁面に形成した開口部に、この開口部を密封するようにして袋体を固定し、アイソレータ内に搬入する物品を袋体の外表面を内側にして包み込んで、袋体の折り返した部分の素材同士をシール手段によって固着した後、物品を包み込んだ部分をアイソレータの内部に引き込んで、その部分を開封して物品をアイソレータ内に取り出すという構成で、密閉された空間内で有害物質を取り扱うアイソレータ内に物品を搬入する際に、外部が汚染されることを防止するという目的を達成する。
【実施例１】
【００１０】
以下、図面に示す実施例により本発明を説明する。図１は本発明の一実施例に係る物品搬入方法によって物品が搬入されるアイソレータ２の横断面を上方から見た図、図２は前記アイソレータ２の縦断面を正面から見た図である。このアイソレータ２は、脚部４ａにそれぞれキャスター４ｂが取り付けられて自由に移動可能な載置台４上に設置されており、四方の側壁２ａ、２ｂ、２ｃ、２ｄ、天面２ｅおよび底面２ｆからなる直方体の箱状をしている。本発明方法では、このアイソレータ２内に、有害物質６（例えば、放射性物質や、劇毒物、有害化学薬品等の人体に悪影響を及ぼすおそれのある有害物質）がすでに搬入された状態で、この有害物質６に対する作業に必要な器具や機器等の物品７を搬入する。このアイソレータ２の内部の空間８は、有害物質６の取り扱いを行う際に、内部の汚染環境が外部に放出されないように、大気圧よりも低い圧力に維持される。
【００１１】
長手方向の一方の壁面（図１の下側に位置する側壁２ａ）には、作業者がアイソレータ２内に手を挿入して有害物質６の取り扱いを行うために、二箇所のグローブ１０が取り付けられている。また、図１の左側の壁面２ｄには、外部からこのアイソレータ２内に物品７の搬入が可能な開口部２ｇが形成されている。この開口部２ｇに外側から袋体１２が装着される。この袋体１２は、塩ビ、ポリエチレン、ポリプロピレン、ポリオレフィン等の材質からなる軟質の袋である。また、開口部２ｇの、アイソレータ２内部側には開閉扉（開口部２ｇの閉鎖部材）１４が設けられており、取っ手１６の操作によってこの扉１４を開閉できるようになっている。
【００１２】
前記開口部２ｇの外側には、アイソレータ２の外方へ向けて突出した円筒状の袋体取付部１８が設けられている。この袋体取付部１８は、外方へ突出した円筒部の先端にフランジ部１８ａが形成されて、円筒部の外面が溝状になっており、袋体１２の口部１２ａを、この袋体取付部１８の溝状の部分の全周に亘って被せ、その外側からゴムバンド等の固定手段２０を嵌着することによって固定し、開口部２ｇを密閉するようになっている。前記載置台４上の、この開口部２ｇが形成された壁面２ｄの手前には、袋体１２等を載置することができるスペース４ｃが設けられており、袋体１２の底部がこのスペース４ｃに載置される。
【００１３】
アイソレータ２の開口部２ｇに取り付けられた袋体１２の側方、つまり、前記スペース４ｃの端部寄りに、袋体１２の素材同士を固着させるシール手段（シーラー２２）が配置されている。
【００１４】
以上の構成に係るアイソレータ２内に前記有害物質６の処理に使用する物品７を搬入する工程について図３および図４により説明する。先ず、アイソレータ２の開口部２ｇの内側に設けられた開閉扉１４を閉めた状態で、アイソレータ２の外部において袋体取付部１８の全周に袋体１２の口部１２ａを嵌合させ、この口部１２ａの外周側からゴムバンド２０を装着して袋体１２を固定し、アイソレータ２の開口部２ｇを密閉する。続いて、袋体取付部１８に取り付けられている袋体１２の口部１２ａと逆の端部側（底部側）を、袋体１２の内部側に押し込んで反転させた状態にしつつ、物品７をこの袋体１２の内部に包み込む（図３に示す状態）。この状態では、通常の状態（図１に示す状態）で袋体１２の外部に面している部分（外表面）の一部が内部側に入り込んで物品７を包み込んでいる。袋体１２の口部１２ａ寄りの、外側に位置している部分と、その内部に押し込まれて前記物品７を包み込んだ小さい袋状の部分１２ｃとの間に折り返し部１２ｂが形成されている。この折り返し部１２ｂが物品７を包み込んだ袋状の部分１２ｃの口部を構成しており、この折り返し部１２ｂを密着させることにより小さな袋状の部分１２ｃを物品７を包み込んだ状態で密封することができる。
【００１５】
前記のように袋体１２の口部１２ａと逆の端部側（底部側）を、口部１２ａの方向に向けて内部側に押し込んで、図３に示すように、袋体１２の内部に小さな袋状の部分１２ｃを形成し、二重の状態にした後、折り返した部分１２ｂ、つまり、内部の小さい袋状の部分１２ｃの口部側に相当する部分を、前記シーラー２２によってシールする。シーラー２２によってシールすることにより、二重になっている折り返し部１２ｂの、袋体１２の素材同士が固着され、内部の小さい袋状の部分１２ｃが物品７を包み込んだ状態で密封される。この実施例では、アイソレータ２の外部にシーラー２２を配置している。アイソレータ２の内部にシーラー２２を設置し、アイソレータ２内に袋体１２を引き込んでから固着することも可能であるが、外部で固着作業を行った方が作業性が良く、しかも、アイソレータ２内でシーラー２２が汚染されることもなく、また、アイソレータ２内に電源を引き込む必要もないので、シーラー２２をアイソレータ２の外部に設置することが好ましい。
【００１６】
袋体１２の外表面によって物品７を包み込んだ状態で、その包み込んだ小さい袋状の部分１２ｃの、口部に相当する部分（折り返し部１２ｂ）をシールした後、アイソレータ２の開口部２ｇの内側に設けられている開閉扉１４を、グローブ１０を装着した作業者がアイソレータ２の内部で取っ手１６を操作して開放する。このとき開口部２ｇの外面側には袋体１２の口部１２ａが開口部１８の全周を覆って固定されているので、アイソレータ２の内部空間８は密封された状態が維持されている。
【００１７】
次に、袋体１２の、内部に物品７を包み込んだ小さい袋状の部分１２ｃを、アイソレータ２の内部に引き込む。この袋状の部分１２ｃは、袋体１２の口部１２ａ寄りの残りの部分に固着されているので、口部１２ａ寄りの残りの部分の大部分もともにアイソレータ２内に挿入される（図４に示す状態）。この状態で小さい袋状の部分２ｃを開封して、その中に包み込まれていた物品７をアイソレータ２内に取り出す。このとき、小さい袋状の部分２ｃ以外の部分は切断しないので、密閉状態は維持されており、アイソレータ２内の環境が外部に漏れ出すことはない。
【００１８】
物品７をアイソレータ２内に取り出した後、開封した袋体１２の残部をアイソレータ２の外部へ押し出して開閉扉１４を閉じる。その後、再度物品７を搬入する場合には、外部へ出した袋体１２の残部を使用して前記と同様に物品を搬入することも可能であるが、残部が小さい場合には、新たな袋体１２に付け替える。この場合は、すでに装着されている袋体１２の内側や開閉扉１４の表面が汚染されている可能性があるので、これらが外部雰囲気に曝されないように、すでに装着されている旧の袋体１２を新たな袋体１２で覆った状態で、旧の袋体１２のゴムバンド２０を取り外して、旧の袋体１２を新たな袋体１２に収容させて、新たな袋体１２をゴムバンド２０で固定するか、旧の袋体１２に新たな袋体１２を重ねて、旧の袋体１２のゴムバンド２０で新たな袋体１２を固定してから、開閉扉１４を開いて旧の袋体１２をアイソレータ２内に引き込み、アイソレータ２内で口部１２ａに近い箇所で切断し、旧の袋体１２の残部を取り除くことで袋体１２の交換を行う。
【図面の簡単な説明】
【００１９】
【図１】本発明の一実施例に係る方法によって物品が搬入されるアイソレータの横断面を上方から見た平面図である。（実施例１）
【図２】前記アイソレータの縦断面を正面から見た図である。
【図３】本発明の一実施例に係る物品搬入方法を説明する図であり、その前半の工程を示す。
【図４】本発明の一実施例に係る物品搬入方法を説明する図であり、その後半の工程を示す。
【符号の説明】
【００２０】
２    アイソレータ
２ａ  アイソレータの壁面
２ｇ  開口部
７    物品
８    空間
１２    袋体
１２ａ  袋体の口部
１４    閉鎖部材（扉）
２２    シール手段
２０    固定手段（ゴムバンド）
【図１】
2007196306.tif 000003
【図２】
2007196306.tif 000004
【図３】
2007196306.tif 000005
【図４】
2007196306.tif 000006